(57)【要約】      （修正有）【課題】サイズを大きくすることなく、確実かつ容易にＬＡＮケーブルを接続・固定するＬＡＮケーブル固定構を提供する。【解決手段】ＬＡＮ接続仕様機器ＳにＬＡＮケーブルＣを固定するためのＬＡＮケーブル固定構造１０は、ＬＡＮ接続仕様機器筐体１およびＬＡＮケーブルＣに取り付けられる固定用グロメット６とからなる。ＬＡＮ接続仕様機器筐体１はケース２および蓋４とからなる。ケース２は固定用グロメット６と嵌合するように形成された開口部位３を備えている。蓋４はケーブル押さえ片５を備える。ケーブル押さえ片５は蓋４をケース２に取り付けた際に固定用グロメット６の凹部位７と嵌合するように形成されている。固定用グロメット６は開口部位３と嵌合するように形成されているとともにケーブル押さえ片５と嵌合するように形成された凹部位７を備えている。【選択図】図１Ａ
2016001978.tif 000002
【特許請求の範囲】
【請求項１】
ＬＡＮ接続仕様機器にＬＡＮケーブルを固定するための構造であって、ＬＡＮ接続仕様機器筐体、およびＬＡＮケーブルに取り付けられる固定用グロメットとからなり、該ＬＡＮ接続仕様機器筐体はケースおよび蓋からなり、該ケースは該固定用グロメットと嵌合するように形成された開口部位を備えており、該蓋はケーブル押さえ片を備えてなり、該ケーブル押さえ片は該蓋を該ケースに取り付けた際に該固定用グロメットの後記凹部位と嵌合するように形成されており、該固定用グロメットは該開口部位と嵌合するように形成されているとともに該ケーブル押さえ片と嵌合するように形成された凹部位を備えており、該開口部位、該ケーブル押さえ片および該固定用グロメット間の各嵌合によって該ＬＡＮ接続仕様機器に該ＬＡＮケーブル接続を密閉状態で固定可能であることを特徴とする、ＬＡＮケーブル固定構造。
【請求項２】
前記ＬＡＮ接続仕様機器がセンサであることを特徴とする、請求項１に記載のＬＡＮケーブル固定構造。
【請求項３】
請求項１または２に記載のＬＡＮケーブル固定構造を構成するための、ＬＡＮ接続仕様機器筐体。
【請求項４】
請求項１または２に記載のＬＡＮケーブル固定構造を構成するための、固定用グロメット。
【請求項５】
請求項４に記載の固定用グロメットを備えていることを特徴とする、ＬＡＮケーブル。
【請求項６】
請求項１に記載のＬＡＮケーブル固定構造を備えていることを特徴とする、ＬＡＮ接続仕様機器。
【請求項７】
請求項１に記載のＬＡＮケーブル固定構造を備えていることを特徴とする、ＬＡＮ接続仕様センサ。
【発明の詳細な説明】
【技術分野】
【０００１】
本発明はＬＡＮケーブル固定構造、ＬＡＮ接続仕様機器筐体、固定用グロメット、ＬＡＮケーブル、ＬＡＮ接続仕様機器、およびＬＡＮ接続仕様センサに係り、特に、振動や衝撃のために接続ケーブルが引き抜かれる可能性のある劣悪環境下にて使用されるセンサ等の機器においても、確実かつ容易にＬＡＮケーブルを接続・固定することのできる、ＬＡＮケーブル固定構造、ＬＡＮ接続仕様機器筐体等に関するものである。
【背景技術】
【０００２】
センサその他のＬＡＮ接続仕様機器を初め、ＬＡＮ接続においては、ＬＡＮケーブルはＬＡＮコネクタの爪により固定される。しかし、この爪は大変折れやすく、センサが振動・衝撃を受けた際にコネクタ爪が破損し、ケーブルが接続できなくなることがある。このため、センサ等に電線貫通金物を設け、ケーブルを固定し、センサ内部に引き込む必要がある。
【０００３】
図５Ａは、従来のＬＡＮ接続仕様機器におけるＬＡＮケーブル固定方法を示す断面図である。また図５Ｂは、図５Ａの要部透視による平面図である。これらに示すように従来のＬＡＮケーブル固定方法（ＬＡＮケーブル固定構造５１０）は、センサ等ＬＡＮ接続仕様機器Ｚに電線貫通金物５８Ａ、５８Ｂを設けてＬＡＮケーブルＣを固定し、ＬＡＮ接続仕様機器Ｚの内部に引き込み、ＬＡＮコネクタ実装基板５９に差し込まれて固定する、というものである。かかる電線貫通金物５８Ａ等を設ける構造により、ＬＡＮ接続仕様機器Ｚの外部に電線貫通金物５８Ａ等が外付けされたような形態となる。
【０００４】
なお、ＬＡＮ接続仕様機器におけるＬＡＮケーブル固定のように、取り付け対象に対してケーブル等を固定したり取り外したりする技術に関しては、従来多くの提案もなされている。たとえば後掲特許文献１には、取付け相手からの外し作業を外し治具なしに行えるグロメットとして、電線嵌合筒部に備えられた差込み取付け部に片持ち支持でロック操作アームを設け、これは取付け相手の取付け部のロック凹部の突起によってロックされる、という構成が開示されている。
【先行技術文献】
【特許文献】
【０００５】
【特許文献１】特開平１１−２０３９７２号公報「グロメット」（特許第３８８４１５３号)
【発明の概要】
【発明が解決しようとする課題】
【０００６】
さて、図５Ａ等に示したように従来のＬＡＮケーブル固定では、ＬＡＮケーブルＣを固定する電線貫通金物５８Ａ等が一定の大きさを有するものであるため、その分、製品全体としては大型にならざるを得ない。またそれだけではなく、センサ等ＬＡＮ接続仕様機器Ｚ内部においても接続作業のための空間が必要となり、センサ等ＬＡＮ接続仕様機器Ｚ自体も体積を大きくする必要がある。
【０００７】
殊に、振動・衝撃を受ける環境で使用されるようなセンサでは、ＬＡＮケーブルを直接内部に引き込む構成にはできず、かかる構造を備えることが不可避である。このようなセンサを初めとするＬＡＮ接続仕様機器において、機器および全体を大型化することなく、確実かつ容易にＬＡＮケーブルを固定できれば大いに便利だが、ケーブルを簡易的に止めたり外したりするための考案に係る上記文献開示技術も含め、従来、そのような技術は存在しない。
【０００８】
そこで本発明が解決しようとする課題は、かかる従来技術の問題点を踏まえ、劣悪環境下にて使用されるセンサを初めとするＬＡＮ接続仕様機器において、機器自体も、接続箇所を含む全体もことさらサイズを大きくすることなく、しかも確実かつ容易にＬＡＮケーブルを接続・固定することのできる、ＬＡＮケーブル固定構造、ＬＡＮ接続仕様機器筐体等を提供することである。
【０００９】
また本発明の課題は、かかるＬＡＮケーブル接続・固定の容易化や製品の小型化に加え、少ない空間でケーブル固定ができ、ＬＡＮ接続作業を簡素化でき、しかもＬＡＮ接続仕様機器の組み立てとケーブル固定の作業を同時に行うことができる、ＬＡＮケーブル固定構造、ＬＡＮ接続仕様機器筐体等を提供することである。さらに、接続固定強度の低いＬＡＮケーブルの強度を向上させることのできる、ＬＡＮケーブル固定構造、ＬＡＮ接続仕様機器筐体等を提供することである。
【００１０】
そして、接続ケーブルが引き抜かれる可能性のある振動・衝撃の大きい劣悪環境下で使用されるようなＬＡＮケーブル接続仕様の位置・回転速度センサにおいても、上記各効果を得ることのできる、ＬＡＮケーブル固定構造、ＬＡＮ接続仕様機器筐体等を提供することである。
【課題を解決するための手段】
【００１１】
本願発明者は上記課題について検討した結果、センサ等ＬＡＮ接続仕様機器の蓋にケーブル固定のための要素を持たせることによって、ケースと蓋を組み合わせて製品を完成する際に同時にケーブルの接続・固定をも行えること、しかも確実かつ容易に行えることを見出し、これに基づいて本発明を完成するに至った。すなわち、上記課題を解決するための手段として本願で特許請求される発明、もしくは少なくとも開示される発明は、以下の通りである。
【００１２】
〔１〕  ＬＡＮ接続仕様機器にＬＡＮケーブルを固定するための構造であって、ＬＡＮ接続仕様機器筐体、およびＬＡＮケーブルに取り付けられる固定用グロメットとからなり、該ＬＡＮ接続仕様機器筐体はケースおよび蓋からなり、該ケースは該固定用グロメットと嵌合するように形成された開口部位を備えており、該蓋はケーブル押さえ片を備えてなり、該ケーブル押さえ片は該蓋を該ケースに取り付けた際に該固定用グロメットの後記凹部位と嵌合するように形成されており、該固定用グロメットは該開口部位と嵌合するように形成されているとともに該ケーブル押さえ片と嵌合するように形成された凹部位を備えており、該開口部位、該ケーブル押さえ片および該固定用グロメット間の各嵌合によって該ＬＡＮ接続仕様機器に該ＬＡＮケーブル接続を密閉状態で固定可能であることを特徴とする、ＬＡＮケーブル固定構造。
〔２〕  前記ＬＡＮ接続仕様機器がセンサであることを特徴とする、〔１〕に記載のＬＡＮケーブル固定構造。
【００１３】
〔３〕  〔１〕または〔２〕に記載のＬＡＮケーブル固定構造を構成するための、ＬＡＮ接続仕様機器筐体。
〔４〕  〔１〕または〔２〕に記載のＬＡＮケーブル固定構造を構成するための、固定用グロメット。
〔５〕  〔４〕に記載の固定用グロメットを備えていることを特徴とする、ＬＡＮケーブル。
〔６〕  〔１〕に記載のＬＡＮケーブル固定構造を備えていることを特徴とする、ＬＡＮ接続仕様機器。
〔７〕  〔１〕に記載のＬＡＮケーブル固定構造を備えていることを特徴とする、ＬＡＮ接続仕様センサ。
【発明の効果】
【００１４】
本発明のＬＡＮケーブル固定構造、ＬＡＮ接続仕様機器筐体、固定用グロメット、ＬＡＮケーブル、ＬＡＮ接続仕様機器、およびＬＡＮ接続仕様センサは上述のように構成されるため、これによれば、劣悪環境下にて使用されるセンサを初めとするあらゆるＬＡＮ接続仕様機器において、機器自体も、接続箇所を含む全体においても、ことさらサイズを大きくすることなく、しかも確実かつ容易に、ＬＡＮケーブルを接続・固定することができる。
【００１５】
また本発明によれば、かかるＬＡＮケーブル接続・固定の容易化や製品の小型化に加え、少ない空間でケーブル固定を行うことができ、ＬＡＮ接続作業を簡素化することができるため作業性が向上する。しかも、ＬＡＮ接続仕様機器の組み立て（製品完成）とケーブル接続・固定の作業を同時に行うことができ、極めて効率がよい。さらに、接続固定強度の低いＬＡＮケーブルにおける接続の強度を向上させることにもなる。
【００１６】
そして本発明によれば、接続ケーブルが引き抜かれる可能性のある振動・衝撃の大きい劣悪環境下で使用されるようなＬＡＮケーブル接続仕様の位置・回転速度センサにおいても、これらの効果を十分に得ることができる。振動や衝撃を受ける環境で使用されるセンサとしては従来、ＬＡＮケーブルを直接センサ内部に引き込む構造のものは存在しなかった。本発明により初めて、かかるシンプルな構造のセンサを提供することができる。
【図面の簡単な説明】
【００１７】
【図１Ａ】本発明のＬＡＮケーブル固定構造の構成例を示す断面図である。
【図１Ｂ】図１Ａの要部透視による平面図である。
【図２】図１Ａに示した構成例について順に製品組み立て工程を示す説明図である。
【図３Ａ】図１Ａに示した構成例について順に製品組み立て工程を示す説明図である。
【図３Ｂ】図１Ａに示した構成例について順に製品組み立て工程を示す説明図である（図３Ａの要部拡大図）。
【図４Ａ】図１Ａに示した構成例について順に製品組み立て工程を示す説明図である。
【図４Ｂ】図１Ａに示した構成例について順に製品組み立て工程を示す説明図である（断面図）。
【図５Ａ】従来のＬＡＮ接続仕様機器におけるＬＡＮケーブル固定方法を示す断面図である。
【図５Ｂ】図５Ａの要部透視による平面図である。
【発明を実施するための形態】
【００１８】
以下、図面により本発明を詳細に説明する。
図１Ａは、本発明のＬＡＮケーブル固定構造の構成例を示す断面図である。また、図１Ｂは、図１Ａの要部透視による平面図である。これらに示すように本発明のＬＡＮケーブル固定構造１０は、ＬＡＮ接続仕様機器ＳにＬＡＮケーブルＣを固定するための構造であって、ＬＡＮ接続仕様機器筐体１、およびＬＡＮケーブルＣに取り付けられる固定用グロメット６とからなる。ＬＡＮ接続仕様機器筐体１はケース２および蓋４とからなり、ケース２は固定用グロメット６と嵌合するように形成された開口部位３を備えており、蓋４はケーブル押さえ片５を備えている。
【００１９】
そしてさらに、ケーブル押さえ片５は、蓋４をケース２に取り付けた際に固定用グロメット６の後記凹部位７と嵌合するように形成されており、固定用グロメット６は、開口部位３と嵌合するように形成されているとともにケーブル押さえ片５と嵌合するように形成された凹部位７を備えていることが、本発明ＬＡＮケーブル固定構造１０の主たる構成である。
【００２０】
かかる構成の本ＬＡＮケーブル固定構造１０により、ＬＡＮ接続仕様機器Ｓ内にあるＬＡＮコネクタ実装基板９に対してＬＡＮケーブルＣが所定方法により接続された後、ＬＡＮケーブルＣに取り付けられた固定用グロメット６は開口部位３に嵌合されて、開口部位３の一部が塞がれる。
【００２１】
そして、蓋４をケース２に取り付ける過程において、ケーブル押さえ片５は、既にケース２の開口部位３の一部を塞いで筐体の一部を形成している固定用グロメット６の凹部位７に嵌合していき、ケース２に対する蓋４の装着完了と同時に固定用グロメット６への嵌合が完了し、固定用グロメット６の固定、それに伴うＬＡＮケーブルＣの固定が完了する。
【００２２】
かかる過程が遂行されることによって、ＬＡＮ接続仕様機器Ｓが密閉状態になるとともに、ＬＡＮケーブルＣ接続が密閉状態にて固定される。このように本発明のＬＡＮケーブル固定構造１０では、蓋４がケーブル押さえ片５を一体に備えた構造であるため、蓋４をケースに取り付ける際に、同時にケーブルを固定できる。また、図５Ａ等で示した従来技術と比較して、ケーブル固定構造の範囲を小さく抑えることができる。
【００２３】
なお、開口部位３、ケーブル押さえ片５、および固定用グロメット６の間の各嵌合状態を形成せしめるための、それぞれの要素の具体的な形状・構造等は、特に限定されない。つまり、ケーブル押さえ片５は、蓋４をケース２に取り付けた際に固定用グロメット６の凹部位７と嵌合するように形成されていて、固定用グロメット６は、開口部位３と嵌合するように形成されかつケーブル押さえ片５と嵌合するように形成された凹部位７を備えていて、これらの間の各嵌合によってＬＡＮ接続仕様機器ＳにＬＡＮケーブルＣ接続を密閉状態で固定可能である限り、いかなる具体的形状・構造であってもよい。すなわち図示されたものは、その例示である。
【００２４】
図２〜４Ｂは、図１Ａ等に示した構成例について、製品組み立て工程を順に示す説明図である。なお、図３Ｂは図３Ａの要部拡大図、図４Ｂは断面図である。これらに図示するように、まずＬＡＮケーブルＣに固定用グロメット６が取り付けられる（図２）。ついで、ＬＡＮケーブルＣがＬＡＮコネクタ実装基板９に接続され、同時に、ＬＡＮケーブル固定用の固定用グロメット６がケース２の開口部位３に嵌合される（図３Ａ、３Ｂ）。
【００２５】
最後に、ケース２に対して蓋４が取り付けられると同時に、ケーブル押さえ片５が固定用グロメット６の凹部位７に対して嵌合され、ＬＡＮケーブルＣが固定される（図４Ａ、４Ｂ）。このように蓋４は、ケーブル押さえ片５が一体となった構造であるため、蓋４取り付けと同時にＬＡＮケーブルＣを確実に固定することができる。
【００２６】
本発明が対象とするＬＡＮ接続仕様機器１は、センサを初めとして、特に限定されない。また、以上説明したＬＡＮケーブル固定構造を構成するための、ＬＡＮ接続仕様機器筐体、固定用グロメット自体も本発明の範囲内である。あた、以上説明した固定用グロメットを備えたＬＡＮケーブル、さらに、ＬＡＮケーブル固定構造を備えたセンサ等のＬＡＮ接続仕様機器もまた、本発明の範囲内である。
【産業上の利用可能性】
【００２７】
本発明のＬＡＮケーブル固定構造等によれば、劣悪環境下にて使用されるセンサを初めとするあらゆるＬＡＮ接続仕様機器において、ことさらサイズを大きくすることなく、しかも確実かつ容易にＬＡＮケーブルを接続・固定することができる。また、ＬＡＮ接続作業を簡素化することができるため作業性が向上するなど利点が多い。したがって、センサその他あらゆるＬＡＮ接続仕様機器分野、および関連する全分野において、産業上利用性が高い発明である。
【符号の説明】
【００２８】
１…ＬＡＮ接続仕様機器筐体
２…ケース
３…開口部位
４…蓋
５…ケーブル押さえ片
６…固定用グロメット
７…凹部位
９…ＬＡＮコネクタ実装基板
１０…ＬＡＮケーブル固定構造
Ｃ…ＬＡＮケーブル
Ｓ…ＬＡＮ接続仕様機器
５１…ＬＡＮ接続仕様機器筐体
５２…ケース
５４…蓋
５７…パッキン
５８Ａ、５８Ｂ…電線貫通金物
５９…ＬＡＮコネクタ実装基板
５１０…ＬＡＮケーブル固定構造
Ｃ…ＬＡＮケーブル
Ｚ…ＬＡＮ接続仕様機器
【図１Ａ】
2016001978.tif 000003
【図１Ｂ】
2016001978.tif 000004
【図２】
2016001978.tif 000005
【図３Ａ】
2016001978.tif 000006
【図３Ｂ】
2016001978.tif 000007
【図４Ａ】
2016001978.tif 000008
【図４Ｂ】
2016001978.tif 000009
【図５Ａ】
2016001978.tif 000010
【図５Ｂ】
2016001978.tif 000011